(57)【要約】【課題】  ＣＭデータ以外の本編データの始まり（または終わり）に必ず同じ放送データが放送される場合に、同じ放送データを繰返し再生することを防止する。【解決手段】  基準本編データの開始位置から時間的に後に向かう方向のデータ部分と、対象本編データの開始位置から時間的に後に向かう方向のデータ部分とが同じであるか否かが判断される。同じであれば、対象本編データの開始位置から時間的に後に向かう方向の基準本編データと同じデータ部分が対象本編データとは別のチャプターとして分割される。従って、この新たに分割したチャプターをユーザ操作によって又は自動的にスキップして再生しないことにより、同じ放送データを繰返し再生することを防止することができる。【選択図】図３
2012182608.tif 000002
【特許請求の範囲】
【請求項１】
放送データをチャプター分割して記憶媒体に記録する放送記録装置であって、
放送データを、ＣＭデータと、前記ＣＭデータ以外の本編データとにチャプター分割する第１分割手段と、
前記本編データの１つを基準本編データとして特定し、他の本編データを対象本編データとして特定する特定手段と、
前記基準本編データの開始位置から時間的に後に向かう方向のデータ部分と、前記対象本編データの開始位置から時間的に後に向かう方向のデータ部分とが同じであるか否かを判断する同一判断手段と、
前記基準本編データの開始位置から時間的に後に向かう方向のデータ部分と、前記対象本編データの開始位置から時間的に後に向かう方向のデータ部分とが同じであると判断された場合、前記対象本編データの開始位置から時間的に後に向かう方向の前記基準本編データと同じデータ部分を前記対象本編データとは別のチャプターとして分割する第２分割手段とを備える、放送記録装置。
【請求項２】
前記基準本編データの開始位置から時間的に後に向かう方向のデータ部分と、全ての前記対象本編データの開始位置から時間的に後に向かう方向のデータ部分とが同じではないと判断された場合、前記特定手段が、別の本編データを新たに基準本編データとして特定する、請求項１に記載の放送記録装置。
【請求項３】
放送データをチャプター分割して記憶媒体に記録する放送記録装置であって、
放送データをＣＭデータと、前記ＣＭデータ以外の本編データとにチャプター分割する第１分割手段と、
前記本編データの１つを基準本編データとして特定し、他の本編データを対象本編データとして特定する特定手段と、
前記基準本編データの終了位置から時間的に前に向かう方向のデータ部分と、前記対象本編データの終了位置から時間的に前に向かう方向のデータ部分とが同じであるか否かを判断する同一判断手段と、
前記基準本編データの終了位置から時間的に前に向かう方向のデータ部分と、前記対象本編データの終了位置から時間的に前に向かう方向のデータ部分とが同じであると判断された場合、前記対象本編データの終了位置から時間的に前に向かう方向の前記基準本編データと同じデータ部分を前記対象本編データとは別のチャプターとして分割する第２分割手段とを備える、放送記録装置。
【請求項４】
請求項１〜３のいずれかに記載の放送記録装置の各手段をコンピュータに実行させる、放送記録プログラム。
【発明の詳細な説明】
【技術分野】
【０００１】
本発明は、放送記録装置およびそのプログラムに関する。
【背景技術】
【０００２】
ブルーレイディスクレコーダやＨＤＤレコーダ等の放送記録装置は、ＴＶ放送を記憶媒体に記録し、記録された放送データをＥＰＧ（電子番組表）に基づいて番組単位でチャプター分割を実行する。また、ＣＭ（コマーシャルメッセージ）データと、ＣＭ以外の本編データとを自動的に異なるチャプターとして分割する。これにより、ＣＭデータを再生せずに、本編データのみを続けて再生すること等ができる。ここで、ある番組において、ＣＭデータの終了直後の本編データの始まりの数秒（例えば１５秒や３０秒）間に、必ず同一の番組宣伝が複数回にわたって放送される場合がある。従って、放送記録装置に記録した放送データを、ＣＭデータを再生せずに本編データのみを再生する場合でも、ユーザは、１つの番組の中で、同一の番組宣伝を複数回にわたり視聴することになり不快である。記録した放送データを後から再生して視聴する場合に、番組宣伝は過去の情報になるので、視聴者にとって視聴する価値は低いからである。
【０００３】
また、本編データの終わりの数秒（例えば１５秒や３０秒）間に、必ず同一の番組宣伝が複数回にわたって放送される場合がある。この場合にも、同様に、ＣＭデータを再生せずに本編データのみを再生する場合でも、ユーザは、１つの番組の中で、同一の番組宣伝を複数回にわたり視聴することになり不快である。
【先行技術文献】
【特許文献】
【０００４】
【特許文献１】特開２０００−５７７４９号公報
【特許文献２】特開２００２−２４７５２４号公報
【発明の概要】
【発明が解決しようとする課題】
【０００５】
本発明は、上記従来の課題を解決するためになされたものであり、その目的は、ＣＭデータ以外の本編データの始まり（または終わり）に必ず同じ放送データが放送される場合に、同じ放送データを繰返し再生することを防止できる放送記録装置を提供することである。
【課題を解決するための手段】
【０００６】
本発明の好ましい実施形態による放送記録装置は、放送データをチャプター分割して記憶媒体に記録する放送記録装置であって、放送データを、ＣＭデータと、前記ＣＭデータ以外の本編データとにチャプター分割する第１分割手段と、前記本編データの１つを基準本編データとして特定し、他の本編データを対象本編データとして特定する特定手段と、前記基準本編データの開始位置から時間的に後に向かう方向のデータ部分と、前記対象本編データの開始位置から時間的に後に向かう方向のデータ部分とが同じであるか否かを判断する同一判断手段と、前記基準本編データの開始位置から時間的に後に向かう方向のデータ部分と、前記対象本編データの開始位置から時間的に後に向かう方向のデータ部分とが同じであると判断された場合、前記対象本編データの開始位置から時間的に後に向かう方向の前記基準本編データと同じデータ部分を前記対象本編データとは別のチャプターとして分割する第２分割手段とを備える。
【０００７】
基準本編データの開始位置から時間的に後に向かう方向のデータ部分と、対象本編データの開始位置から時間的に後に向かう方向のデータ部分とが同じであるか否かが判断される。同じであれば、対象本編データの開始位置から時間的に後に向かう方向の基準本編データと同じデータ部分が、本編データとは別のチャプターとして分割される。従って、この新たに分割したチャプターを、ユーザ操作によって又は自動的に、スキップして再生しないことにより、同じ放送データを繰返し再生することを防止することができる。
【０００８】
好ましい実施形態においては、前記基準本編データの開始位置から時間的に後に向かう方向のデータ部分と、全ての前記対象本編データの開始位置から時間的に後に向かう方向のデータ部分とが同じではないと判断された場合、前記特定手段が、別の本編データを新たに基準本編データとして特定する。
【０００９】
最初に、ある本編データが基準本編データに特定されたものの、全ての対象本編データについて、同一のデータ部分がない場合、他の本編データが新たな基準本編データとして特定され、新たな基準本編データ以外の本編データが対象本編データとして特定される。そして、新たな基準本編データの開始位置から時間的に後に向かう方向のデータ部分と、対象本編データの開始位置から時間的に後に向かう方向のデータ部分とが同じであるか否かが判断される。同じであれば、対象本編データの開始位置から時間的に後に向かう方向の新たな基準本編データと同じデータ部分が、本編データとは別のチャプターとして分割される。従って、より確実に、本編データの同一部分をチャプター分割することができる。
【００１０】
本発明の別の好ましい実施形態による放送記録装置は、放送データをチャプター分割して記憶媒体に記録する放送記録装置であって、放送データをＣＭデータと、前記ＣＭデータ以外の本編データとにチャプター分割する第１分割手段と、前記本編データの１つを基準本編データとして特定し、他の本編データを対象本編データとして特定する特定手段と、前記基準本編データの終了位置から時間的に前に向かう方向のデータ部分と、前記対象本編データの終了位置から時間的に前に向かう方向のデータ部分とが同じであるか否かを判断する同一判断手段と、前記基準本編データの終了位置から時間的に前に向かう方向のデータ部分と、前記対象本編データの終了位置から時間的に前に向かう方向のデータ部分とが同じであると判断された場合、前記対象本編データの終了位置から時間的に前に向かう方向の前記基準本編データと同じデータ部分を前記対象本編データとは別のチャプターとして分割する第２分割手段とを備える。
【００１１】
基準本編データの終了位置から時間的に前に向かう方向のデータ部分と、対象本編データの終了位置から時間的に前に向かう方向のデータ部分とが同じであるか否かが判断される。同じであれば、対象本編データの終了位置から時間的に前に向かう方向の基準本編データと同じデータ部分が、対象本編データとは別のチャプターとして分割される。従って、この新たに分割したチャプターを、ユーザ操作によって又は自動的に、スキップして再生しないことにより、同じ放送データを繰返し再生することを防止することができる。
【発明の効果】
【００１２】
ＣＭデータ以外の本編データの始まり（または終わり）に必ず同じ放送データが放送される場合に、同じ放送データを繰返し再生することを防止できる放送記録装置を提供することができる。
【図面の簡単な説明】
【００１３】
【図１】本発明の好ましい実施形態による放送記録装置１を示すブロック図である。
【図２】制御部１１の処理を示すフローチャートである。
【図３】チャプター分割処理を示す図である。
【図４】制御部１１の処理を示すフローチャートである。
【図５】チャプター分割処理を示す図である。
【図６】制御部１１の処理を示すフローチャートである。
【図７】チャプター分割処理を示す図である。
【発明を実施するための形態】
【００１４】
以下、本発明の好ましい実施形態について、図面を参照して具体的に説明するが、本発明はこれらの実施形態には限定されない。図１は、本発明の好ましい実施形態による放送記録装置１を示すブロック図である。放送記録装置１は、本編データの開始位置からのデータ部分が他の本編データの開始位置からのデータ部分と同じであるかを判断し、同一である場合に、同一部分を別のチャプターとして自動的に分割する。これにより、複数の本編データに重複して放送されている放送データ部分を、スキップすることによって、再生しないことができる。ここで、本編データとは、ＣＭ（コマーシャルメッセージ）データ以外の部分の放送データである。
【００１５】
放送記録装置１は、制御部１１、メモリ（ＲＯＭ、ＲＡＭ等）１２、受信部１３、ＨＤＤ等の記憶媒体１４、再生部１５、および、チャプター処理部１６等を備える。
【００１６】
制御部１１は、放送記録装置１の各部を制御するものであり、マイコンやＣＰＵ等である。制御部１１は、メモリ１２またはＨＤＤ１４に格納されている放送記録装置１の動作プログラムに基づいて後述する処理を実行する。受信部１３は図示しない放送局から放送される放送データを受信し、受信した放送データをＨＤＤ１４に記録させる。本例では、放送データはＴＶ放送であり、デジタル放送、アナログ放送、衛星放送またはインターネット放送等の任意のＴＶ放送が採用され得る。
【００１７】
ＨＤＤ１４は、受信部１３によって受信された放送データを記録する。再生部１５は、ＨＤＤ１４に記録されている放送データを読み出して再生（デコード、ＤＡ変換等）する。
【００１８】
チャプター処理部１６は、制御部１１の指示に応じて、受信部１３によって受信されＨＤＤ１４に記録された放送データを複数のチャプターに分割する。チャプター処理部１６は、放送データを、第１に、ＣＭデータと、ＣＭデータ以外の本編データとにチャプター分割する。制御部１１は、本編データの１つを基準本編データとして特定し、他の本編データを対象本編データとして特定する。制御部１１は、基準本編データの開始位置から時間的に後に向かう方向のデータ部分と、対象本編データの開始位置から時間的に後に向かう方向のデータ部分とが同じであるか否かを判断する。同じである場合、チャプター処理部１６は、対象本編データの開始位置から時間的に後に向かう方向の基準本編データと同じデータ部分を対象本編データとは別のチャプターとして分割する。
【００１９】
なお、基準本編データの開始位置から時間的に後に向かう方向のデータ部分と、全ての対象本編データの開始位置から時間的に後に向かう方向のデータ部分とが同じではない場合、制御部１１は、別の本編データを新たに基準本編データとして特定し、他の本編データを対象本編データとして特定する。制御部１１は、新たな基準本編データの開始位置から時間的に後に向かう方向のデータ部分と、対象本編データの開始位置から時間的に後に向かう方向のデータ部分とが同じであるか否かを判断する。同じである場合、チャプター処理部１６は、対象本編データの開始位置から時間的に後に向かう方向の新たな基準本編データと同じデータ部分を対象本編データとは別のチャプターとして分割する。
【００２０】
以下、本発明の動作を説明する。図２は制御部１１の処理を示すフローチャートであり、詳細には、制御部１１がチャプター処理部１６を制御して、放送データを自動的にチャプター分割させる処理を示す。図３はチャプター分割の概念図である。図３において、左側が時間的に前方向（古いデータ）であり、右側が時間的に後方向（新しいデータ）を示す。
【００２１】
受信部１３は、ＴＶ放送データを受信し、ＨＤＤ１４に放送データを記録する。制御部１１は、ＨＤＤ１４に記録した放送データを、チャプター処理部１６に、ＣＭデータと本編データとに分割させる（Ｓ１）。図３（ａ）に示すように、例えば、チャプター１（ＣＭデータ）、チャプター２（本編データ）、チャプター３（ＣＭデータ）、チャプター４（本編データ）、チャプター５（ＣＭデータ）、チャプター６（本編データ）・・に分割される。実際には、チャプター１の前にさらなるチャプターが存在し、チャプター６の後にさらなるチャプターが存在してもよい。
【００２２】
制御部１１は、複数の本編データのチャプターの中から基準本編データとなるチャプターを１つ特定する（Ｓ２）。基準本編データは、ユーザ操作によって指定されてもよく、制御部１１によって自動的に指定されてもよい。制御部１１は、基準本編データの開始位置を特定する（Ｓ３）
【００２３】
続いて、制御部１１は、基準本編データの２つ後ろのチャプターを対象本編データとして特定する（Ｓ４）。すなわち、基準本編データ以外の本編データ（例えば、基準本編データよりも後の本編データであるが、前の本編データでもよい。）を対象本編データとする。そして、制御部１１は、対象本編データの開始位置を特定する（Ｓ５）。
【００２４】
図３（ａ）に示す例では、チャプター２が基準本編データとして特定され、チャプター４が対象本編データとして特定される。
【００２５】
制御部１１は、基準本編データであるチャプター２と、対象本編データであるチャプター４とをそれぞれ開始位置から順に再生し、音声データ（および／または映像データ）が同じであるか否かを判断する（Ｓ６、Ｓ７）。つまり、それぞれのチャプターの最初の部分が同じ放送データ（つまり、番組宣伝等）であるか否かが判断される。音声データ（および／または映像データ）が同じであるか否かを判断する技術的手法については、上記特許文献１および２等に開示されているように周知技術であるので、ここではその詳細を割愛する。
【００２６】
基準本編データであるチャプター２の開始位置からの音声データ（および／または映像データ）と、対象本編データであるチャプター４の開始位置からの音声データ（および／または映像データ）とが同じである場合（Ｓ７でＹＥＳ）、制御部１１は、基準本編データであるチャプター２の開始位置からの音声データ（および／または映像データ）と、対象本編データであるチャプター４の開始位置からの音声データ（および／または映像データ）とが最初に異なる位置（つまり、番組宣伝等の重複部分の終わり）を特定する。そして、制御部１１は、対象本編データであるチャプター４における、その特定した位置を新たなチャプター分割点とし、チャプター分割を実行する（Ｓ８）。その後、処理はＳ９に進む。
【００２７】
例えば、図３（ｂ）に示すように、チャプター２の開始位置Ａ〜位置Ｂの放送データと、チャプター４の開始位置Ｃ〜位置Ｄの放送データとが同一であると判断される。そして、チャプター４の位置Ｄがチャプター分割点として特定され、図３（ｃ）に示すように、制御部１１は、チャプター４の位置Ｄにおいてチャプター４を２つのチャプターに分割し、チャプター４Ａおよびチャプター４Ｂを生成する。つまり、チャプター４におけるチャプター２と重複している放送データ部分（つまり番組宣伝に相当する部分）が本編データとは別個独立したチャプターとして生成される。従って、放送データをＨＤＤから読み出して再生する際に、重複した番組宣伝に相当する部分をユーザ操作によって容易にスキップすることができる。
【００２８】
一方、基準本編データであるチャプター２の開始位置からの音声データ（および／または映像データ）と、対象本編データであるチャプター４の開始位置からの音声データ（および／または映像データ）とが異なる場合（Ｓ７でＮＯ）、処理はＳ９に進む。
【００２９】
Ｓ９において、制御部１１は、対象本編データであるチャプター４の２つ後ろのチャプター（つまり、チャプター６）が存在するか否かを判断する（Ｓ９）。存在する場合（Ｓ９でＹＥＳ）、制御部１１は、対象本編データであるチャプター４の２つ後ろのチャプター（つまりチャプター６）を本編チャプターとして特定し（Ｓ１０）、Ｓ６に戻って、上記の処理を繰り返す。すなわち、基準本編チャプターよりも後ろに位置する全ての本編チャプターに関して、開始位置からの放送データが、基準本編データの開始位置からの放送データと同じであるかが判断され、同じであれば、重複する番組宣伝データであると認識され、本編データとは独立したチャプターとして分割される。一方、Ｓ９で存在しない場合（Ｓ９でＮＯ）、チャプター分割処理を終了する。
【００３０】
以上のように、本実施形態によると、本編データの最初に番組宣伝等の他の本編データと重複する放送データ部分が存在する場合に、重複部分を独立したチャプターとして分割することができ、再生時にそのチャプターをスキップして再生しないようにすることができる。
【００３１】
図４は、別の好ましい実施形態による制御部１１の処理を示すフローチャートであり、図２と同じ処理には同一符号を付し、説明を省略する。Ｓ９でＮＯと判断された場合、制御部１１は、基準本編データの開始位置からの放送データと、対象本編データの開始位置からの放送データとが同一であり、重複部分が別チャプターとなるようにチャプター分割処理が実行された対象本編データが少なくとも１つ存在したか否かを判断する（Ｓ１１）。
【００３２】
存在する場合（Ｓ１１でＹＥＳ）、処理を終了する。存在しない場合（Ｓ１１でＮＯ）、制御部１１は、基準本編データの２つ後ろのチャプターが存在するか否かを判断する（Ｓ１２）。存在しない場合（Ｓ１２でＮＯ）、処理を終了する。存在する場合（Ｓ１２）、基準本編データの２つ後ろのチャプターを新たな基準本編データとして特定し（Ｓ１３）、処理はＳ４に戻る。従って、新たに特定した基準本編データと、それよりも後ろの対象本編データとで開始位置からの放送データが同一か否かを判断し、同一であれば対象本編データの同一部分をチャプター分割する。
【００３３】
例えば、図５に示すように、最初にチャプター２が基準本編データとして特定されたが、図５（ｂ）に示すように、チャプター２よりも後ろの全ての対象本編データと同一部分が存在しなければ（つまり。チャプター２には他の本編データと重複する放送データが存在しない場合）、基準本編データであるチャプター２の２つ後ろのチャプターであるチャプター４が新たな基準本編データに特定される。そして、基準本編データであるチャプター４の開始位置からの放送データと、対象本編データであるチャプター６の開始位置からの放送データとが同じであれば、図５（ｃ）に示すように、チャプター６のチャプター４と同じ部分を新たなチャプター６Ａとして分割する。
【００３４】
以上の処理によって最初に特定されたチャプターに番組宣伝等の他のチャプターと同一の部分が含まれていないときにも、自動的に次の本編データを基準本編データとして特定して、番組宣伝等の他のチャプターと同一の部分を探し出して、チャプター分割できる。なお、新たな基準本編データは、現在の基準本編データの２つ後のチャプターに限定されず、任意の他の本編データでもよい。
【００３５】
次に、本発明の別の好ましい実施形態を説明する。本例は、番組宣伝等の重複部分を本編データの最初ではなく最後に含む場合を想定した実施例である。制御部１１は、基準本編データの終了位置から時間的に前に向かう方向のデータ部分と、対象本編データの終了位置から時間的に前に向かう方向のデータ部分とが同じであるか否かを判断する。同じである場合、チャプター処理部１６は、対象本編データの終了位置から時間的に前に向かう方向の基準本編データと同じデータ部分を対象本編データとは別のチャプターとして分割する。
【００３６】
図６は、本例の処理を説明するフローチャートである。図７はチャプター分割の概念図である。受信部１３は、ＴＶ放送データを受信すると、ＨＤＤ１４に放送データを記録する。制御部１１は、ＨＤＤ１４に記録した放送データを、チャプター処理部１６に、ＣＭデータと本編データとに分割させる（Ｓ２１）。図７（ａ）に示すように、例えば、チャプター１（ＣＭデータ）、チャプター２（本編データ）、チャプター３（ＣＭデータ）、チャプター４（本編データ）、チャプター５（ＣＭデータ）、チャプター６（本編データ）・・に分割される。実際には、チャプター１の前にさらなるチャプターが存在し、チャプター６の後にさらなるチャプターが存在し得る。
【００３７】
制御部１１は、複数の本編データのチャプターの中から基準本編データとなるチャプターを１つ特定する（Ｓ２２）。基準本編データは、ユーザ操作によって指定されてもよく、制御部１１によって自動的に指定されてもよい。制御部１１は、基準本編データの終了位置を特定する（Ｓ２３）。
【００３８】
続いて、制御部１１は、基準本編データの２つ前のチャプターを対象本編データとして特定する（Ｓ２４）。すなわち、基準本編データ以外の本編データを対象本編データとする。そして、制御部１１は、対象本編データの終了位置を特定する（Ｓ２５）。
【００３９】
図７（ａ）に示す例では、チャプター６が基準本編データとして特定され、チャプター４が対象本編データとして特定される。
【００４０】
制御部１１は、基準本編データであるチャプター６と、対象本編データであるチャプター４とをそれぞれ終了位置から時間的に前方向に向かって再生し、音声データ（および／または映像データ）が同じであるか否かを判断する（Ｓ２６、Ｓ２７）。つまり、それぞれのチャプターの最後の部分が同じ放送データ（つまり番組宣伝等）であるか否かが判断される。
【００４１】
基準本編データであるチャプター６の終了位置からの音声データ（および／または映像データ）と、対象本編データであるチャプター４の終了位置からの音声データ（および／または映像データ）とが同じである場合（Ｓ２７でＹＥＳ）、制御部１１は、基準本編データであるチャプター６の終了位置からの音声データ（および／または映像データ）と、対象本編データであるチャプター４の終了位置からの音声データ（および／または映像データ）とが最初に異なる位置を特定する。そして、制御部１１は、対象本編データであるチャプター４における、その特定した位置をチャプター分割点とし、チャプター分割を実行する（Ｓ２８）。その後、処理はＳ２９に進む。
【００４２】
例えば、図７（ｂ）に示すように、チャプター６の位置Ａ〜位置Ｂの放送データと、チャプター４の位置Ｃ〜位置Ｄの放送データとが同一であると判断される。そして、チャプター４の位置Ｄがチャプター分割点として特定され、図７（ｃ）に示すように、制御部１１は、チャプター４の位置Ｄにおいてチャプター４を２つのチャプターに分割し、チャプター４Ａおよびチャプター４Ｂを生成する。つまり、チャプター４におけるチャプター６と重複している放送データ部分（つまり番組宣伝に相当する部分）が本編データとは別個独立したチャプターとして生成される。従って、放送データをＨＤＤから読み出して再生する際に、重複した番組宣伝に相当する部分をユーザ操作によって容易にスキップすることができる。
【００４３】
一方、準本編データであるチャプター６の終了位置からの音声データ（および／または映像データ）と、対象本編データであるチャプター４の終了位置からの音声データ（および／または映像データ）とが異なる場合（Ｓ２７でＮＯ）、処理はＳ２９に進む。
【００４４】
Ｓ２９において、制御部１１は、対象本編データであるチャプター４の２つ前のチャプター（つまり、チャプター２）が存在するか否かを判断する（Ｓ２９）。存在する場合（Ｓ２９でＹＥＳ）、制御部１１は、対象本編データであるチャプター４の２つ前のチャプター（つまり、チャプター２）を本編チャプターとして特定し（Ｓ３０）、Ｓ２６に戻って、上記の処理を繰り返す。すなわち、基準本編チャプターよりも前に位置する全ての本編チャプターに関して、終了位置からの放送データが、基準本編データの終了位置からの放送データと同じであるかが判断され、同じであれば、重複する番組宣伝データであると認識されるので、本編データとは独立したチャプターとして分割される。一方、Ｓ２９で存在しない場合（Ｓ２９でＮＯ）、チャプター分割処理を終了する。
【００４５】
以上のように、本実施形態によると、本編データの終わりに番組宣伝等の他の本編データと重複する放送データ部分が存在する場合に、重複部分を独立したチャプターとして分割することができ、再生時にそのチャプターをスキップして再生しないようにすることができる。なお、本実施形態においても、図４のＳ１１〜１３のような処理を追加して、自動的に別の本編データを新たな基準本編データとして特定してもよい。
【００４６】
以上、本発明の好ましい実施形態を説明したが、本発明はこれらの実施形態には限定されない。本発明の上記各処理をコンピュータに実行させるプログラム又はこれを記憶した記録媒体という形態で提供されてよい。
【産業上の利用可能性】
【００４７】
本発明は、ＰＣアプリケーション、ＨＤＤレコーダ等に好適に採用され得る。
【符号の説明】
【００４８】
１        放送記録装置
１１      制御部
１２      メモリ
１３      受信部
１４      ＨＤＤ
１５      再生部
１６      チャプター処理部
【図１】
2012182608.tif 000003
【図２】
2012182608.tif 000004
【図３】
2012182608.tif 000005
【図４】
2012182608.tif 000006
【図５】
2012182608.tif 000007
【図６】
2012182608.tif 000008
【図７】
2012182608.tif 000009